(57)【要約】【課題】長い待機時間を設定することなく、特に、給湯の初期において、給湯目標温度よりも高い温度の湯水が供給されることを防止でき、使用者の快適性を損ねることを防止する。【解決手段】制御装置５０が、湯張り終了時もしくは湯張り終了時刻の所定時間だけ手前の時刻になった時に、加熱停止モード運転で湯張りしている場合、補助加熱手段１２の作動を停止して、加熱前混合温度が、給湯目標温度から最小加熱温度を減算した温度以下になるように加熱前混合手段Ｈ１を制御する加熱作動準備モード運転を実行するように構成されている。【選択図】図１
2019032148.tif 000002
【特許請求の範囲】
【請求項１】
貯湯タンクから送出される湯水に給水流路からの水を混合する加熱前混合手段と、
前記加熱前混合手段から送出される湯水を加熱する補助加熱手段と、
前記補助加熱手段から送出される湯水に前記加熱前混合手段から送出される湯水を混合する加熱後混合手段と、
前記加熱後混合手段から送出される湯水による湯張り運転を検出する湯張り運転検出手段と、
前記加熱後混合手段から送出される湯水による給湯運転を検出する給湯運転検出手段と、
前記貯湯タンクの貯湯温度を検出する貯湯温度検出手段と、
前記加熱前混合手段による混合後で前記補助加熱手段による加熱前の加熱前混合温度を検出する加熱前混合温度検出手段と、
前記加熱後混合手段による混合後の加熱後混合温度を検出する加熱後混合温度検出手段と、
前記湯張り運転もしくは前記給湯運転の少なくとも一方が検出された時に、前記貯湯温度検出手段で検出された貯湯温度に基づいて、前記加熱前混合温度もしくは前記加熱後混合温度の少なくとも一方が、前記湯張り運転で設定された湯張り目標温度もしくは前記給湯運転で設定された給湯目標温度になるように、前記加熱前混合手段と前記補助加熱手段と前記加熱後混合手段を作動させる制御手段が設けられ、
前記制御手段が、前記湯張り運転検出手段により前記湯張り運転を検出した時に、
前記湯張り目標温度と前記貯湯温度との関係が、前記補助加熱手段の作動を停止して、前記湯張り目標温度で湯張りできる補助加熱不要状態の時には、前記補助加熱手段を停止して、前記加熱前混合温度が前記湯張り目標温度以上になるように前記加熱前混合手段を制御する加熱停止モード運転を実行すると共に、
前記湯張り目標温度と前記貯湯温度との関係が、前記補助加熱手段を作動させる必要がある補助加熱必要状態の時には、前記加熱前混合温度が、前記湯張り目標温度から前記補助加熱手段により最小能力で加熱した時の温度上昇の想定値である最小加熱温度を減算した温度以下になるように前記加熱前混合手段を制御し、且つ、前記加熱後混合温度が前記湯張り目標温度になるように、前記補助加熱手段と前記加熱後混合手段を制御する加熱作動モード運転を実行するように構成された貯湯式給湯装置であって、
前記制御手段が、湯張り終了時もしくは湯張り終了時刻の所定時間だけ手前の時刻になった時に、前記加熱停止モード運転で湯張りしている場合、
前記補助加熱手段の作動を停止して、前記加熱前混合温度が、前記給湯目標温度から前記最小加熱温度を減算した温度以下になるように前記加熱前混合手段を制御する加熱作動準備モード運転を実行するように構成されている貯湯式給湯装置。
【請求項２】
貯湯タンクの湯水で給水流路からの水を予熱する加熱前予熱手段と、
前記加熱前予熱手段から送出される湯水を加熱する補助加熱手段と、
前記補助加熱手段から送出される湯水に前記加熱前予熱手段から送出される湯水を混合する加熱後混合手段と、
前記加熱後混合手段から送出される湯水による湯張り運転を検出する湯張り運転検出手段と、
前記加熱後混合手段から送出される湯水による給湯運転を検出する給湯運転検出手段と、
前記貯湯タンクの貯湯温度を検出する貯湯温度検出手段と、
前記加熱前予熱手段の後で前記補助加熱手段による加熱前の加熱前予熱温度を検出する加熱前予熱温度検出手段と、
前記加熱後混合手段による混合後の加熱後混合温度を検出する加熱後混合温度検出手段と、
前記湯張り運転もしくは前記給湯運転の少なくとも一方が検出された時に、前記貯湯温度検出手段で検出された貯湯温度に基づいて、前記加熱前予熱温度もしくは前記加熱後混合温度の少なくとも一方が、前記湯張り運転で設定された湯張り目標温度もしくは前記給湯運転で設定された給湯目標温度になるように、前記加熱前予熱手段と前記補助加熱手段と前記加熱後混合手段を作動させる制御手段が設けられ、
前記制御手段が、前記湯張り運転検出手段により前記湯張り運転を検出した時に、
前記湯張り目標温度と前記貯湯温度との関係が、前記補助加熱手段の作動を停止して、前記湯張り目標温度で湯張りできる補助加熱不要状態の時には、前記補助加熱手段を停止して、前記加熱前予熱温度が前記湯張り目標温度以上になるように前記加熱前予熱手段を制御する加熱停止モード運転を実行すると共に、
前記湯張り目標温度と前記貯湯温度との関係が、前記補助加熱手段を作動させる必要がある補助加熱必要状態の時には、前記加熱前予熱温度が、前記湯張り目標温度から前記補助加熱手段により最小能力で加熱した時の温度上昇の想定値である最小加熱温度を減算した温度以下になるように前記加熱前予熱手段を制御し、且つ、前記加熱後混合温度が前記湯張り目標温度になるように、前記補助加熱手段と前記加熱後混合手段を制御する加熱作動モード運転を実行するように構成された貯湯式給湯装置であって、
前記制御手段が、湯張り終了時もしくは湯張り終了時刻の所定時間だけ手前の時刻になった時に、前記加熱停止モード運転で湯張りしている場合、
前記補助加熱手段の作動を停止して、前記加熱前予熱温度が、前記給湯目標温度から前記最小加熱温度を減算した温度以下になるように前記加熱前予熱手段を制御する加熱作動準備モード運転を実行するように構成されている貯湯式給湯装置。
【請求項３】
前記制御手段が、浴槽の湯張り状態が目標湯張り状態となるような湯張り運転よりも先行して、前記浴槽の湯張り状態が前記目標湯張り状態に達する前の先行湯張り状態になるような先行湯張り運転を行なうように構成され、
前記湯張り運転に加えて、前記先行湯張り運転の場合において、先行湯張り終了時もしくは先行湯張り終了時刻の所定時間だけ手前の時刻になった時に、前記加熱停止モード運転で湯張りしている場合、前記加熱作動準備モード運転を行なうように構成されている請求項１又は２に記載の貯湯式給湯装置。
【請求項４】
前記制御手段が、前記加熱作動準備モード運転時に、前記加熱後混合温度が、前記給湯目標温度から前記最小加熱温度を減算した温度以下になるまで、前記加熱作動準備モード運転を継続するように構成されている請求項１〜３の何れか一項に記載の貯湯式給湯装置。
【請求項５】
前記補助加熱手段から前記加熱後混合手段へ送出される補助加熱後温度を検出する補助加熱後温度検出手段が設けられ、
前記制御手段が、前記加熱作動準備モード運転時に、前記補助加熱後温度もしくは前記加熱後混合温度の少なくとも一方が、前記給湯目標温度から前記最小加熱温度を減算した温度以下になるまで、前記加熱作動準備モード運転を継続するように構成されている請求項１〜３の何れか一項に記載の貯湯式給湯装置。
【発明の詳細な説明】
【技術分野】
【０００１】
本発明は、貯湯タンクから送出される湯水に給水流路からの水を混合する加熱前混合手段と、前記加熱前混合手段から送出される湯水を加熱する補助加熱手段と、前記補助加熱手段から送出される湯水に前記加熱前混合手段から送出される湯水を混合する加熱後混合手段と、前記加熱後混合手段から送出される湯水による湯張り運転を検出する湯張り運転検出手段と、前記加熱後混合手段から送出される湯水による給湯運転を検出する給湯運転検出手段と、前記貯湯タンクの貯湯温度を検出する貯湯温度検出手段と、前記加熱前混合手段による混合後で前記補助加熱手段による加熱前の加熱前混合温度を検出する加熱前混合温度検出手段と、前記加熱後混合手段による混合後の加熱後混合温度を検出する加熱後混合温度検出手段と、前記湯張り運転もしくは前記給湯運転の少なくとも一方が検出された時に、前記貯湯温度検出手段で検出された貯湯温度に基づいて、前記加熱前混合温度もしくは前記加熱後混合温度の少なくとも一方が、前記湯張り運転で設定された湯張り目標温度もしくは前記給湯運転で設定された給湯目標温度になるように、前記加熱前混合手段と前記補助加熱手段と前記加熱後混合手段を作動させる制御手段が設けられ、前記制御手段が、前記湯張り運転検出手段により前記湯張り運転を検出した時に、前記湯張り目標温度と前記貯湯温度との関係が、前記補助加熱手段の作動を停止して、前記湯張り目標温度で湯張りできる補助加熱不要状態の時には、前記補助加熱手段を停止して、前記加熱前混合温度が前記湯張り目標温度以上になるように前記加熱前混合手段を制御する加熱停止モード運転を実行すると共に、前記湯張り目標温度と前記貯湯温度との関係が、前記補助加熱手段を作動させる必要がある補助加熱必要状態の時には、前記加熱前混合温度が、前記湯張り目標温度から前記補助加熱手段により最小能力で加熱した時の温度上昇の想定値である最小加熱温度を減算した温度以下になるように前記加熱前混合手段を制御し、且つ、前記加熱後混合温度が前記湯張り目標温度になるように、前記補助加熱手段と前記加熱後混合手段を制御する加熱作動モード運転を実行するように構成された貯湯式給湯装置、及び貯湯タンクの湯水で給水流路からの水を予熱する加熱前予熱手段と、前記加熱前予熱手段から送出される湯水を加熱する補助加熱手段と、前記補助加熱手段から送出される湯水に前記加熱前予熱手段から送出される湯水を混合する加熱後混合手段と、前記加熱後混合手段から送出される湯水による湯張り運転を検出する湯張り運転検出手段と、前記加熱後混合手段から送出される湯水による給湯運転を検出する給湯運転検出手段と、前記貯湯タンクの貯湯温度を検出する貯湯温度検出手段と、前記加熱前予熱手段の後で前記補助加熱手段による加熱前の加熱前予熱温度を検出する加熱前予熱温度検出手段と、前記加熱後混合手段による混合後の加熱後混合温度を検出する加熱後混合温度検出手段と、前記湯張り運転もしくは前記給湯運転の少なくとも一方が検出された時に、前記貯湯温度検出手段で検出された貯湯温度に基づいて、前記加熱前予熱温度もしくは前記加熱後混合温度の少なくとも一方が、前記湯張り運転で設定された湯張り目標温度もしくは前記給湯運転で設定された給湯目標温度になるように、前記加熱前予熱手段と前記補助加熱手段と前記加熱後混合手段を作動させる制御手段が設けられ、前記制御手段が、前記湯張り運転検出手段により前記湯張り運転を検出した時に、前記湯張り目標温度と前記貯湯温度との関係が、前記補助加熱手段の作動を停止して、前記湯張り目標温度で湯張りできる補助加熱不要状態の時には、前記補助加熱手段を停止して、前記加熱前予熱温度が前記湯張り目標温度以上になるように前記加熱前予熱手段を制御する加熱停止モード運転を実行すると共に、前記湯張り目標温度と前記貯湯温度との関係が、前記補助加熱手段を作動させる必要がある補助加熱必要状態の時には、前記加熱前予熱温度が、前記湯張り目標温度から前記補助加熱手段により最小能力で加熱した時の温度上昇の想定値である最小加熱温度を減算した温度以下になるように前記加熱前予熱手段を制御し、且つ、前記加熱後混合温度が前記湯張り目標温度になるように、前記補助加熱手段と前記加熱後混合手段を制御する加熱作動モード運転を実行するように構成された貯湯式給湯装置であって、前記制御手段が、湯張り終了時もしくは湯張り終了時刻の所定時間だけ手前の時刻になった時に、前記加熱停止モード運転で湯張りしている場合、前記補助加熱手段の作動を停止して、前記加熱前予熱温度が、前記給湯目標温度から前記最小加熱温度を減算した温度以下になるように前記加熱前予熱手段を制御する加熱作動準備モード運転を実行するように構成されている貯湯式給湯装置に関する。
【背景技術】
【０００２】
従来の貯湯式給湯装置としては、上述したように、貯湯タンクから送出される湯水に給水流路からの水を混合する加熱前混合手段と、加熱前混合手段から送出される湯水を加熱する補助加熱手段と、補助加熱手段から送出される湯水に加熱前混合手段から送出される湯水を混合する加熱後混合手段と、加熱後混合手段から送出される湯水の湯張り運転を検出する湯張り運転検出手段と、加熱後混合手段から送出される湯水の給湯運転を検出する給湯運転検出手段と、貯湯タンクの貯湯温度を検出する貯湯温度検出手段と、加熱前混合手段の加熱前混合温度を検出する加熱前混合温度検出手段と、加熱後混合手段の加熱後混合温度を検出する加熱後混合温度検出手段と、上記湯張り運転及び給湯運転を制御する制御装置を備えたものが知られている。
当該制御装置は、湯張り運転もしくは給湯運転の少なくとも一方が検出された時に、貯湯温度検出手段で検出された貯湯温度に基づいて、加熱前混合温度もしくは加熱後混合温度の少なくとも一方が、湯張り運転で設定された湯張り目標温度もしくは給湯運転で設定された給湯目標温度になるように、加熱前混合手段と補助加熱手段と加熱後混合手段を作動させる。
更に、上記湯張り運転及び給湯運転について、説明を追加すると、制御装置は、湯張り運転検出手段により湯張り運転を検出した時に、湯張り目標温度と貯湯温度との関係が、補助加熱手段の作動を停止して、湯張り目標温度で湯張りできる補助加熱不要状態の時には、補助加熱手段を停止して、加熱前混合温度が湯張り目標温度以上になるように加熱前混合手段を制御する加熱停止モード運転と、湯張り目標温度と貯湯温度との関係が、補助加熱手段を作動させる必要がある補助加熱必要状態の時には、加熱前混合温度が、湯張り目標温度から補助加熱手段により最小能力で加熱した時の温度上昇の想定値である最小加熱温度を減算した温度以下になるように加熱前混合手段を制御し、且つ、加熱後混合温度が湯張り目標温度になるように、補助加熱手段と加熱後混合手段を制御する加熱作動モード運転とを、切り換えて実行可能に構成されている。
【先行技術文献】
【特許文献】
【０００３】
【特許文献１】特開２０１０−２５４１４号公報
【発明の概要】
【発明が解決しようとする課題】
【０００４】
上記特許文献１に開示の貯湯式給湯装置では、例えば、給湯運転において、湯切れ状態になって、混合設定温度が給湯目標温度から「給湯目標温度−最小加熱温度」に切り換わった時に、貯湯タンクと補助加熱手段との間の配管には給湯目標温度の湯水が滞留しているため、補助加熱手段で加熱すると、給湯温度が給湯目標温度をオーバーする恐れがあった。また、湯張り目標温度で湯張りしている場合、湯張り終了より十分早く混合設定温度が切り換われば安全上の問題はないが、湯張り終了直前に、混合設定温度が給湯目標温度から「給湯目標温度−最小加熱温度」に切り換わると、直後の給湯で同様の問題が発生する恐れがあった。さらに、給湯時に温度が下がるまで補助加熱手段で加熱しない方法もあるが、待機時間が長いため、不便であった。
【０００５】
本発明は、上述の課題に鑑みてなされたものであり、その目的は、長い待機時間を設定することなく、特に、給湯の初期において、給湯目標温度よりも高い温度の湯水が供給されることを防止でき、使用者の快適性を損ねることを防止できる貯湯式給湯装置を提供する点にある。
【課題を解決するための手段】
【０００６】
上記目的を達成するための貯湯式給湯装置は、
貯湯タンクから送出される湯水に給水流路からの水を混合する加熱前混合手段と、
前記加熱前混合手段から送出される湯水を加熱する補助加熱手段と、
前記補助加熱手段から送出される湯水に前記加熱前混合手段から送出される湯水を混合する加熱後混合手段と、
前記加熱後混合手段から送出される湯水による湯張り運転を検出する湯張り運転検出手段と、
前記加熱後混合手段から送出される湯水による給湯運転を検出する給湯運転検出手段と、
前記貯湯タンクの貯湯温度を検出する貯湯温度検出手段と、
前記加熱前混合手段による混合後で前記補助加熱手段による加熱前の加熱前混合温度を検出する加熱前混合温度検出手段と、
前記加熱後混合手段による混合後の加熱後混合温度を検出する加熱後混合温度検出手段と、
前記湯張り運転もしくは前記給湯運転の少なくとも一方が検出された時に、前記貯湯温度検出手段で検出された貯湯温度に基づいて、前記加熱前混合温度もしくは前記加熱後混合温度の少なくとも一方が、前記湯張り運転で設定された湯張り目標温度もしくは前記給湯運転で設定された給湯目標温度になるように、前記加熱前混合手段と前記補助加熱手段と前記加熱後混合手段を作動させる制御手段が設けられ、
前記制御手段が、前記湯張り運転検出手段により前記湯張り運転を検出した時に、
前記湯張り目標温度と前記貯湯温度との関係が、前記補助加熱手段の作動を停止して、前記湯張り目標温度で湯張りできる補助加熱不要状態の時には、前記補助加熱手段を停止して、前記加熱前混合温度が前記湯張り目標温度以上になるように前記加熱前混合手段を制御する加熱停止モード運転を実行すると共に、
前記湯張り目標温度と前記貯湯温度との関係が、前記補助加熱手段を作動させる必要がある補助加熱必要状態の時には、前記加熱前混合温度が、前記湯張り目標温度から前記補助加熱手段により最小能力で加熱した時の温度上昇の想定値である最小加熱温度を減算した温度以下になるように前記加熱前混合手段を制御し、且つ、前記加熱後混合温度が前記湯張り目標温度になるように、前記補助加熱手段と前記加熱後混合手段を制御する加熱作動モード運転を実行するように構成された貯湯式給湯装置であって、その特徴構成は、
前記制御手段が、湯張り終了時もしくは湯張り終了時刻の所定時間だけ手前の時刻になった時に、前記加熱停止モード運転で湯張りしている場合、
前記補助加熱手段の作動を停止して、前記加熱前混合温度が、前記給湯目標温度から前記最小加熱温度を減算した温度以下になるように前記加熱前混合手段を制御する加熱作動準備モード運転を実行するように構成されている点にある。
【０００７】
上記特徴構成によれば、制御手段は、湯張り終了時もしくは湯張り終了時刻の所定時間だけ手前の時刻になった時に、加熱停止モード運転で湯張りしている場合、加熱作動準備モード運転として、補助加熱手段の作動を停止して、加熱前混合温度が、給湯目標温度から最小加熱温度を減算した温度以下になるように加熱前混合手段を制御する。これにより、加熱作動準備モード運転が、例えば、一定時間実行された後には、貯湯タンクから補助加熱手段までの間の配管内に存在する湯水が、給湯目標温度から最小加熱温度を減算した温度以下となる。結果、加熱作動準備モード運転が実行された直後（換言すれば、湯張り運転終了直後）に給湯運転が実行される場合であっても、給湯目標温度より高温の湯水が給湯されることを防止でき、使用者の快適性を損ねることを防止可能な貯湯式給湯装置を実現できる。
更に、当該貯湯式給湯装置にあっては、給湯の前に、待機時間を要することがないため、使用者の快適性を損ねることをより一層良好に防止できる。
【０００８】
上記目的を達成するための貯湯式給湯装置は、
貯湯タンクの湯水で給水流路からの水を予熱する加熱前予熱手段と、
前記加熱前予熱手段から送出される湯水を加熱する補助加熱手段と、
前記補助加熱手段から送出される湯水に前記加熱前予熱手段から送出される湯水を混合する加熱後混合手段と、
前記加熱後混合手段から送出される湯水による湯張り運転を検出する湯張り運転検出手段と、
前記加熱後混合手段から送出される湯水による給湯運転を検出する給湯運転検出手段と、
前記貯湯タンクの貯湯温度を検出する貯湯温度検出手段と、
前記加熱前予熱手段の後で前記補助加熱手段による加熱前の加熱前予熱温度を検出する加熱前予熱温度検出手段と、
前記加熱後混合手段による混合後の加熱後混合温度を検出する加熱後混合温度検出手段と、
前記湯張り運転もしくは前記給湯運転の少なくとも一方が検出された時に、前記貯湯温度検出手段で検出された貯湯温度に基づいて、前記加熱前予熱温度もしくは前記加熱後混合温度の少なくとも一方が、前記湯張り運転で設定された湯張り目標温度もしくは前記給湯運転で設定された給湯目標温度になるように、前記加熱前予熱手段と前記補助加熱手段と前記加熱後混合手段を作動させる制御手段が設けられ、
前記制御手段が、前記湯張り運転検出手段により前記湯張り運転を検出した時に、
前記湯張り目標温度と前記貯湯温度との関係が、前記補助加熱手段の作動を停止して、前記湯張り目標温度で湯張りできる補助加熱不要状態の時には、前記補助加熱手段を停止して、前記加熱前予熱温度が前記湯張り目標温度以上になるように前記加熱前予熱手段を制御する加熱停止モード運転を実行すると共に、
前記湯張り目標温度と前記貯湯温度との関係が、前記補助加熱手段を作動させる必要がある補助加熱必要状態の時には、前記加熱前予熱温度が、前記湯張り目標温度から前記補助加熱手段により最小能力で加熱した時の温度上昇の想定値である最小加熱温度を減算した温度以下になるように前記加熱前予熱手段を制御し、且つ、前記加熱後混合温度が前記湯張り目標温度になるように、前記補助加熱手段と前記加熱後混合手段を制御する加熱作動モード運転を実行するように構成された貯湯式給湯装置であって、その特徴構成は、
前記制御手段が、湯張り終了時もしくは湯張り終了時刻の所定時間だけ手前の時刻になった時に、前記加熱停止モード運転で湯張りしている場合、
前記補助加熱手段の作動を停止して、前記加熱前予熱温度が、前記給湯目標温度から前記最小加熱温度を減算した温度以下になるように前記加熱前予熱手段を制御する加熱作動準備モード運転を実行するように構成されている点にある。
【０００９】
上記特徴構成によれば、制御手段は、湯張り終了時もしくは湯張り終了時刻の所定時間だけ手前の時刻になった時に、加熱停止モード運転で湯張りしている場合、加熱作動準備モード運転として、補助加熱手段の作動を停止して、加熱前予熱温度が、給湯目標温度から最小加熱温度を減算した温度以下になるように加熱前予熱手段を制御する。これにより、加熱作動準備モード運転が、例えば、一定時間実行された後には、貯湯タンクから補助加熱手段までの間の配管内に存在する湯水が、給湯目標温度から最小加熱温度を減算した温度以下となる。結果、加熱作動準備モード運転が実行された直後（換言すれば、湯張り運転終了直後）に給湯運転が実行される場合であっても、給湯目標温度より高温の湯水が給湯されることを防止でき、使用者の快適性を損ねることを防止可能な貯湯式給湯装置を実現できる。
更に、当該貯湯式給湯装置にあっては、給湯の前に、待機時間を要することがないため、使用者の快適性を損ねることをより一層良好に防止できる。
【００１０】
貯湯式給湯装置の更なる特徴構成は、
前記制御手段が、浴槽の湯張り状態が目標湯張り状態となるような湯張り運転よりも先行して、前記浴槽の湯張り状態が前記目標湯張り状態に達する前の先行湯張り状態になるような先行湯張り運転を行なうように構成され、
前記湯張り運転に加えて、前記先行湯張り運転の場合において、先行湯張り終了時もしくは先行湯張り終了時刻の所定時間だけ手前の時刻になった時に、前記加熱停止モード運転で湯張りしている場合、前記加熱作動準備モード運転を行なうように構成されている点にある。
【００１１】
上記特徴構成によれば、湯張り運転のみならず、先行湯張り運転を実行する場合であっても、先行湯張り終了時もしくは先行湯張り終了時刻の所定時間だけ手前の時刻になった時に、加熱作動準備モード運転を実行することで、当該加熱作動準備モード運転を実行した直後（換言すれば、湯張り運転終了直後）に給湯運転が実行される場合であっても、給湯目標温度より高温の湯水が給湯されることを防止でき、使用者の快適性を損ねることを防止可能な貯湯式給湯装置を実現できる。
【００１２】
貯湯式給湯装置の更なる特徴構成は、
前記制御手段が、前記加熱作動準備モード運転時に、前記加熱後混合温度が、前記給湯目標温度から前記最小加熱温度を減算した温度以下になるまで、前記加熱作動準備モード運転を継続するように構成されている点にある。
【００１３】
上記特徴構成によれば、制御手段は、加熱作動準備モード運転時に、加熱後混合温度が、給湯目標温度から最小加熱温度を減算した温度以下になるまで、加熱作動準備モード運転を継続するように構成されているから、当該加熱作動準備モード運転を実行した直後（換言すれば、湯張り運転終了直後）の給湯運転において、給湯温度が給湯目標温度より高温となることを完全に防止できる。
【００１４】
貯湯式給湯装置の更なる特徴構成は、
前記補助加熱手段から前記加熱後混合手段へ送出される補助加熱後温度を検出する補助加熱後温度検出手段が設けられ、
前記制御手段が、前記加熱作動準備モード運転時に、前記補助加熱後温度もしくは前記加熱後混合温度の少なくとも一方が、前記給湯目標温度から前記最小加熱温度を減算した温度以下になるまで、前記加熱作動準備モード運転を継続するように構成されている点にある。
【００１５】
上記特徴構成によれば、制御手段は、加熱作動準備モード運転時に、補助加熱後温度もしくは加熱後混合温度の少なくとも一方が、給湯目標温度から最小加熱温度を減算した温度以下になるまで、加熱作動準備モード運転を継続するように構成されているから、当該加熱作動準備モード運転を実行した直後（換言すれば、湯張り運転終了直後）の給湯運転において、給湯温度が給湯目標温度より高温となることを完全に防止できる。
【図面の簡単な説明】
【００１６】
【図１】第１実施形態に係る貯湯式給湯装置の概略構成図
【図２】第１実施形態に係る加熱停止モード運転に係る制御フロー図
【図３】第１実施形態に係る加熱作動モード運転に係る制御フロー図
【図４】第１実施形態に係る加熱作動準備モード運転に係る制御フロー図
【図５】加熱作動準備モード運転を伴う湯張り運転に係る制御フロー図
【図６】第２実施形態に係る貯湯式給湯装置の概略構成図
【図７】第２実施形態に係る加熱停止モード運転に係る制御フロー図
【図８】第２実施形態に係る加熱作動モード運転に係る制御フロー図
【図９】第２実施形態に係る加熱作動準備モード運転に係る制御フロー図
【図１０】別実施形態に係る貯湯式給湯装置の概略構成図
【発明を実施するための形態】
【００１７】
本発明の実施形態に係る貯湯式給湯装置１００は、長い待機時間を設定することなく、特に、給湯の初期において、給湯目標温度よりも高い温度の湯水が供給されることを防止でき、使用者の快適性を損ねることを防止できる貯湯式給湯装置に関する。
以下、当該貯湯式給湯装置１００に関し、図１〜５に基づいて説明する。
【００１８】
〔第１実施形態〕
第１実施形態に係る貯湯式給湯装置１００は、貯湯タンク２から送出される湯水に給水流路Ｒ１からの水を混合する加熱前混合流路Ｒ３及び比例弁Ｈ１（加熱前混合手段の一例）と、加熱前混合流路Ｒ３から送出される湯水を加熱するバーナ式の燃焼装置１２（補助加熱手段の一例）と、当該燃焼装置１２から送出される湯水に加熱前混合流路Ｒ３から送出される湯水を混合する加熱後混合流路Ｒ５及び第２三方弁Ｓ２（加熱後混合手段の一例）と、加熱後混合流路Ｒ５から送出される湯水による湯張り運転を検出する第１水量センサＦ１（湯張り運転検出手段の一例）と、加熱後混合流路Ｒ５から送出される湯水による給湯運転を検出する第２水量センサＦ２（給湯運転検出手段の一例）と、貯湯タンク２の貯湯温度（貯湯タンク２の上方に貯留された湯水温度）を検出する第１温度センサＴ１（貯湯温度検出手段の一例）と、加熱前混合流路Ｒ３及び比例弁Ｈ１による混合後で燃焼装置１２による加熱前の温度である加熱前混合温度を検出する第２温度センサＴ２（加熱前混合温度検出手段の一例）と、加熱後混合流路Ｒ５及び第２三方弁Ｓ２による混合後の加熱後混合温度を検出する第３温度センサＴ３（加熱後混合温度検出手段の一例）と、リモコン（図示せず）の操作及び各種センサの測定結果に基づいて各種運転を制御する制御装置５０（制御手段の一例）とを備えて構成されている。
【００１９】
貯湯タンク２は、例えば、内部に湯水を貯留可能で、断熱性能を有する密閉型のタンクにて構成されており、内部の湯水は、上方から下方にかけて高温から低温となる温度成層を形成するように構成されている。
燃焼装置１２は、例えば、内部に備えられるバーナ１１にてガス燃料等を燃焼させて熱を発生させ、当該熱により湯水を加熱するように構成されている。
【００２０】
更に、貯湯式給湯装置１００は、排熱により湯水を加熱する熱源機としての燃料電池９と、当該燃料電池９と貯湯タンク２との間で湯水を循環する第１循環路Ｃ１を備えている。
第１循環路Ｃ１は、その上流端が貯湯タンク２の下部に接続されると共にその下流端が貯湯タンク２の上部に接続されており、当該第１循環路Ｃ１の湯水を圧送する第１循環ポンプＰ１を燃料電池９の上流側に備えており、湯水の熱を放熱可能なラジエータＭ１が、第１循環ポンプＰ１と燃料電池９との間に備えられている。
【００２１】
貯湯タンク２には、その下部に接続されて給水圧によりタンク内へ給水を供給する給水流路Ｒ１が接続されると共に、その上部に接続されて給水圧によりタンク上方に貯留された湯水を吐出する吐出流路Ｒ２が設けられ、当該吐出流路Ｒ２には当該吐出流路Ｒ２を開閉する第１開閉弁Ｋ１が設けられている。
給水流路Ｒ１と吐出流路Ｒ２とを接続する加熱前混合流路Ｒ３が設けられると共に、当該加熱前混合流路Ｒ３を通流する給水の流量を調整する比例弁Ｈ１が設けられている。吐出流路Ｒ２と加熱前混合流路Ｒ３との合流部である第１合流部Ｇ１の合流後で燃焼装置１２による加熱前の加熱前混合流路Ｒ３には、加熱前混合温度を検出する第２温度センサＴ２が設けられている。
【００２２】
加熱前混合流路Ｒ３は、燃焼装置１２の内部を通流する加熱流路Ｒ４に接続されており、当該加熱流路Ｒ４には燃焼装置１２の出口での補助加熱後温度を検出する第４温度センサＴ４（補助加熱後温度検出手段の一例）が設けられている。
加熱前混合流路Ｒ３と加熱流路Ｒ４との接続部位は、加熱後混合流路Ｒ５の上流端が接続されると共に、加熱流路Ｒ４と加熱後混合流路Ｒ５への湯水の流量比を調整可能な第２三方弁Ｓ２が設けられており、加熱後混合流路Ｒ５の下流端は、加熱流路Ｒ４の第４温度センサＴ４の下流側の第２合流部Ｇ２に接続されている。
第２合流部Ｇ２には、給湯利用箇所１（例えば、給湯栓）に接続される給湯流路Ｒ７が設けられており、当該給湯流路Ｒ７の第２合流部Ｇ２への接続部位の近傍には、加熱後混合温度を測定する第３温度センサＴ３が設けられており、給湯流路Ｒ７の給湯利用箇所１の近傍には、給湯流路Ｒ７に湯水が通流しているか否かを検出可能な第２水量センサＦ２（給湯運転検出手段の一例）が設けられている。
給湯流路Ｒ７の第３温度センサＴ３が設けられている箇所の下流側には、浴槽Ｂへ湯水を導く湯張流路Ｒ８が接続されており、当該湯張流路Ｒ８には、湯張流路Ｒ８に湯水が通流しているか否かを検出可能な第１水量センサＦ１（湯張り運転検出手段の一例）が設けられていると共に、湯張流路Ｒ８を開閉する第２開閉弁Ｋ２が設けられている。
【００２３】
貯湯式給湯装置１００の運転を制御するコンピュータを備えた制御装置５０（制御手段の一例）は、運転を指令する人為操作式の貯湯式給湯装置用リモコン（図示省略）との間で各種情報を通信可能に構成されている。当該貯湯式給湯装置用リモコンは、例えば、台所や浴室等に設けられており、給湯目標温度や湯張り目標温度等を設定可能であると共に、各種スイッチのＯＮ操作により各種運転の運転要求を要求可能に構成されている。また、制御装置５０は、浴槽Ｂの湯張り運転等を指令する人為操作式の風呂リモコン（図示省略）との間で各種の情報を通信可能に構成されている。
【００２４】
制御装置５０は、リモコンの運転スイッチがＯＮ操作されると制御可能な状態となり、給湯利用箇所１としての給湯栓が開栓されると、給湯利用箇所１に給湯する給湯運転を実行する。
また、制御装置５０は、例えば、貯湯タンク２の蓄熱量が設定量以下となる、或いは、給湯利用箇所１へ給湯する給湯時間帯になる等の蓄熱条件が満たされると、蓄熱運転の運転要求があったとして、貯湯タンク２へ蓄熱する蓄熱運転を実行する。更に、制御装置５０は、風呂リモコンの湯張りスイッチがＯＮ操作されて湯張り要求されると湯張り運転を実行する。
以下、各運転について説明する。
【００２５】
（蓄熱運転）
当該蓄熱運転では、制御装置５０は、貯湯タンク２の下部の湯水を第１循環路Ｃ１に通流させ、湯水を燃料電池９の排熱により加熱し、加熱された湯水を貯湯タンク２の上部に戻す運転である。当該蓄熱運転では、第１循環ポンプＰ１を所定の回転速度で駆動させる。
【００２６】
制御装置５０は、第１水量センサＦ１及び第２水量センサＦ２の検出結果により、湯張り運転もしくは給湯運転の少なくとも一方を検出した時に、第１温度センサＴ１にて検出される貯湯温度に基づいて、第２温度センサＴ２にて測定される加熱前混合温度もしくは第３温度センサＴ３にて測定される加熱後混合温度の少なくとも一方が、湯張り運転で設定された湯張り目標温度もしくは給湯運転で設定された給湯目標温度になるように、第１開閉弁Ｋ１、比例弁Ｈ１、第２三方弁Ｓ２とを作動させる。
【００２７】
（給湯運転）
給湯運転は、第２水量センサＦ２により検出可能な運転であり、制御装置５０が、貯湯タンク２に貯留された湯水を燃焼装置１２にて補助加熱することなく給湯利用箇所１へ供給する加熱停止モード運転と、貯湯タンク２に貯留された湯水を燃焼装置１２にて補助加熱をして給湯利用箇所１へ供給する加熱作動モード運転とに切り換え自在に構成されている。
制御装置５０は、貯湯タンク２の上部に貯留される湯水の貯湯温度（第１温度センサＴ１で測定される温度）が給湯利用箇所１にて要求されている給湯目標温度より高い時、加熱停止モード運転に切り換え、貯湯タンク２の上部に貯留される湯水の貯湯温度が給湯目標温度以下である時、加熱作動モード運転に切り換える。
【００２８】
加熱停止モード運転に切り換える時には、制御装置５０が、第１開閉弁Ｋ１及び比例弁Ｈ１を開動作させると共に燃焼装置１２による加熱を停止し、第２三方弁Ｓ２を加熱後混合流路Ｒ５へ湯水を通流させる状態とし、上水の圧力により貯湯タンク２の上部から吐出流路Ｒ２へ吐出させた湯水と、上水の圧力により加熱前混合流路Ｒ３を通流する給水とを、第１合流部Ｇ１にて合流させた後、加熱後混合流路Ｒ５及び給湯流路Ｒ７を介して給湯利用箇所１から供給する。
ここで、制御装置５０は、第２温度センサＴ２にて測定される加熱前混合温度が、給湯目標温度よりも高い場合、比例弁Ｈ１を開き側へ制御し、給湯目標温度未満の場合、比例弁Ｈ１を閉じ側へ制御する形態で、加熱前混合温度が給湯目標温度となるように制御する。
【００２９】
一方、加熱作動モード運転に切り換える時には、制御装置５０が、第１開閉弁Ｋ１及び比例弁Ｈ１を開動作させると共に、第２三方弁Ｓ２を加熱流路Ｒ４と加熱後混合流路Ｒ５の双方へ湯水を通流させる状態とし、上水の圧力により貯湯タンク２の上部から吐出流路Ｒ２へ吐出させた湯水と、上水の圧力により加熱前混合流路Ｒ３を通流する給水とを、第１合流部Ｇ１にて合流させた後、当該合流後の湯水の一部を加熱流路Ｒ４へ通流させて燃焼装置１２にて加熱すると共に、合流後の湯水の残部を加熱後混合流路Ｒ５へ通流させて第２合流部Ｇ２で混合し、給湯流路Ｒ７を介して給湯利用箇所１から供給する。
ここで、制御装置５０は、第２温度センサＴ２にて測定される加熱前混合温度が、給湯目標温度から燃焼装置１２により最小能力で加熱した時の温度上昇の想定値である最小加熱温度を減算した温度以下になるように、比例弁Ｈ１の開度を制御し、且つ、第３温度センサＴ３で測定される加熱後混合温度が給湯目標温度になるように、燃焼装置１２の燃焼量及び第２三方弁Ｓ２の開度を制御する。
【００３０】
（湯張り運転）
湯張り運転は、第１水量センサＦ１により検出可能な運転であり、制御装置５０が、貯湯タンク２に貯留された湯水を燃焼装置１２にて補助加熱することなく浴槽Ｂへ供給する加熱停止モード運転と、貯湯タンク２に貯留された湯水を燃焼装置１２にて補助加熱をして浴槽Ｂへ供給する加熱作動モード運転とに切り換え自在に構成されている。
【００３１】
さて、当該湯張り運転では、加熱停止モード運転での湯張り運転の直後に、加熱作動モード運転での給湯運転が実行される場合、第２温度センサＴ２にて測定される加熱前混合温度が、湯張り目標温度の湯水の状態で加熱前混合流路Ｒ３に滞留しており、当該湯張り目標温度の湯水が、燃焼装置１２により最小能力で加熱され、最小能力で加熱された時の温度上昇の想定値である最小加熱温度だけ昇温した温度（湯張り目標温度＋最小加熱温度＞目標給湯温度）となって、給湯利用箇所１から供給される場合がある。
当該第１実施形態に係る貯湯式給湯装置１００の湯張り運転では、特に、その湯張り運転の直後の給湯運転の初期において、給湯利用箇所１から目標給湯温度より高温の湯水が供給されることを防止するべく、以下で説明する加熱作動準備モード運転を含めた運転が実行される。
【００３２】
以下、加熱作動準備モード運転も含めた湯張り運転に関し、図２〜５の制御フローに基づいて、説明を追加する。
風呂リモコンで湯張り運転のスイッチがＯＮ操作されると、制御装置５０は、湯張り運転開始時に、図５において＃５１、５２、５３に示す制御を実行する。
制御装置５０は、湯張り目標温度と貯湯温度との関係が、燃焼装置１２の作動を停止して、湯張り目標温度で湯張りできる補助加熱不要状態の時、換言すれば、貯湯タンク２の上部に貯留される湯水の貯湯温度（第１温度センサＴ１で測定される温度）が浴槽Ｂにて要求されている湯張り目標温度より高いと判定した時（＃５１でＹｅｓ）、加熱停止モード運転（＃５３）に切り換える。
一方、制御装置５０は、湯張り目標温度と貯湯温度との関係が、燃焼装置１２を作動させる必要がある補助加熱必要状態の時、換言すれば、貯湯タンク２の上部に貯留される湯水の貯湯温度が湯張り目標温度以下であると判定した時（＃５１でＮｏ）、加熱作動モード運転（＃５２）に切り換える。
【００３３】
加熱停止モード運転では、図２に示すように、制御装置５０が、第１開閉弁Ｋ１及び比例弁Ｈ１を開動作させると共に燃焼装置１２による加熱を停止し（＃２１）、第２三方弁Ｓ２を加熱後混合流路Ｒ５へ湯水を通流させる状態とし、上水の圧力により貯湯タンク２の上部から吐出流路Ｒ２へ吐出させた湯水と、上水の圧力により加熱前混合流路Ｒ３を通流する給水とを、第１合流部Ｇ１にて合流させた後、加熱後混合流路Ｒ５及び湯張流路Ｒ８を介して浴槽Ｂへ供給する。
ここで、制御装置５０は、第２温度センサＴ２にて測定される加熱前混合温度が、湯張り目標温度よりも高い場合、比例弁Ｈ１を開き側へ制御し、湯張り目標温度未満の場合、比例弁Ｈ１を閉じ側へ制御する形態で、加熱前混合温度が湯張り目標温度となるように制御する（＃２２）。
【００３４】
一方、加熱作動モード運転では、図３に示すように、制御装置５０が、第１開閉弁Ｋ１及び比例弁Ｈ１を開動作させると共に、第２三方弁Ｓ２を加熱流路Ｒ４と加熱後混合流路Ｒ５の双方へ湯水を通流させる状態とし、上水の圧力により貯湯タンク２の上部から吐出流路Ｒ２へ吐出させた湯水と、上水の圧力により加熱前混合流路Ｒ３を通流する給水とを、第１合流部Ｇ１にて合流させた後、当該合流後の湯水の一部を加熱流路Ｒ４へ通流させて燃焼装置１２にて加熱すると共に、合流後の湯水の残部を加熱後混合流路Ｒ５へ通流させて第２合流部Ｇ２で混合し、湯張流路Ｒ８を介して浴槽Ｂへ供給する。
ここで、制御装置５０は、図３に示すように、第２温度センサＴ２にて測定される加熱前混合温度が、湯張り目標温度から燃焼装置１２により最小能力で加熱した時の温度上昇の想定値である最小加熱温度を減算した温度以下になるように、比例弁Ｈ１の開度を制御し（＃３１）、且つ、第３温度センサＴ３で測定される加熱後混合温度が湯張り目標温度になるように、燃焼装置１２の燃焼量及び第２三方弁Ｓ２の開度を制御する（＃３２）。
【００３５】
制御装置５０は、湯張り運転が開始され、＃５１、５２、５３の制御が実行された後、湯張り運転が終了する、又は湯張り強制停止する（＃５７でＹｅｓ）までの間、図５で＃５４、５５、５６で示す制御を、繰り返し実行する。
制御装置５０は、湯張り運転が加熱停止モード運転で実行されており（＃５４でＹｅｓ）、且つ、貯湯タンク２の上部に貯留される湯水の貯湯温度（第１温度センサＴ１で測定される温度）が浴槽Ｂにて要求されている湯張り目標温度より高い時（＃５５でＹｅｓ）、何も変更しない。
制御装置５０は、湯張り運転が加熱停止モード運転で実行されており（＃５４でＹｅｓ）、且つ、貯湯タンク２の上部に貯留される湯水の貯湯温度（第１温度センサＴ１で測定される温度）が浴槽Ｂにて要求されている湯張り目標温度以下の時（＃５５でＮｏ）、加熱作動モード運転へ切り換える（＃５６）。
制御装置５０は、湯張り運転が加熱停止モード運転で実行されていない場合（＃５４でＮｏ）、何も変更しない。
【００３６】
制御装置５０は、湯張り運転が終了する、又は湯張り強制停止する（＃５７でＹｅｓ）場合、以下の＃５８、５９、６０、６１の制御を実行する。
制御装置５０は、湯張り運転が加熱停止モード運転で実行されている場合(＃５８でＹｅｓ)、加熱作動準備モード運転を実行する（＃５９）。当該加熱作動準備モード運転は、図４に示すように、燃焼装置１２での加熱を停止し（＃４１）、第２温度センサＴ２にて測定される加熱前混合温度が、給湯目標温度から最小加熱温度を減算した温度以下になるように、比例弁Ｈ１の開度を制御する（＃４２）と共に、第２三方弁Ｓ２を加熱流路Ｒ４と加熱後混合流路Ｒ５の双方へ湯水を通流させる。
【００３７】
制御装置５０は、第４温度センサＴ４にて測定される補助加熱後温度が「給湯目標温度−最小加熱温度」以下となった場合（＃６０でＹｅｓ）に、湯張り停止処理として第２開閉弁Ｋ２の閉弁操作等を実行し（＃６１）、湯張り運転を終了する。尚、当該湯張り運転の終了には、強制停止も含むものとする。
一方、制御装置５０は、補助加熱後温度が「給湯目標温度−最小加熱温度」より高い場合、補助加熱後温度が「給湯目標温度−最小加熱温度」以下となるまで、現状の運転（加熱作動準備モード運転）を維持する。
なお、制御装置５０は、湯張り運転が加熱停止モードで実行されていない場合（＃５８でＮｏ）、加熱作動準備モード運転は行なわずに、湯張り停止処理として第２開閉弁Ｋ２の閉弁操作等を実行し（＃６１）、湯張り運転を終了する。尚、当該湯張り運転の終了には、強制停止も含むものとする。
【００３８】
〔第２実施形態〕
当該第２実施形態に係る貯湯式熱源装置１００は、図６に示すように、上記第１実施形態における「加熱前混合手段」に相当する構成が「加熱前予熱手段」へ置き換えられている点が、主に異なる。
そこで、以下では、上記第１実施形態に係る貯湯式熱源装置１００と相違する構成及び制御を主に説明することとし、同一の構成及び制御については、同一の符号及び同一のステップ番号を用いることとし、その説明を割愛することがある。
当該第２実施形態に係る貯湯式熱源装置１００では、比例弁Ｈ１、第１開閉弁Ｋ１、加熱前混合流路Ｒ３、第１合流部Ｇ１等が設けられない構成となっている。
【００３９】
第２実施形態に係る貯湯式給湯装置１００は、貯湯タンク２の湯水で給水流路Ｒ１からの水を第１熱交換器ＥＸ１（加熱前予熱手段の一例）と、第１熱交換器ＥＸ１から送出される湯水を加熱するバーナ式の燃焼装置１２（補助加熱手段の一例）と、当該燃焼装置１２から送出される湯水に第１熱交換器ＥＸ１から送出される湯水を混合する加熱後混合流路Ｒ５及び第２三方弁Ｓ２（加熱後混合手段の一例）と、加熱後混合流路Ｒ５から送出される湯水による湯張り運転を検出する第１水量センサＦ１（湯張り運転検出手段の一例）と、加熱後混合流路Ｒ５から送出される湯水による給湯運転を検出する第２水量センサＦ２（給湯運転検出手段の一例）と、貯湯タンク２の貯湯温度（貯湯タンク２の上方に貯留された湯水温度）を検出する第１温度センサＴ１（貯湯温度検出手段の一例）と、第１熱交換器ＥＸ１による予熱後で燃焼装置１２による加熱前の温度である加熱前予熱温度を検出する第２温度センサＴ２（加熱前予熱温度検出手段の一例）と、加熱後混合流路Ｒ５及び第２三方弁Ｓ２による混合後の加熱後混合温度を検出する第３温度センサＴ３（加熱後混合温度検出手段の一例）と、リモコン（図示せず）の操作及び各種センサの測定結果に基づいて各種運転を制御する制御装置５０（制御手段の一例）とを備えて構成されている。
【００４０】
貯湯タンク２は、例えば、内部に湯水を貯留可能で、断熱性能を有する密閉型のタンクにて構成されており、内部の湯水は、上方から下方にかけて高温から低温となる温度成層を形成するように構成されている。
【００４１】
貯湯タンク２には、第１循環路Ｃ１に加え、第２循環ポンプＰ２により湯水を貯湯タンク２と第１熱交換器ＥＸ１との間で循環させる第２循環路Ｃ２が設けられている。
第１熱交換器ＥＸ１は、給水流路Ｒ１を介して給水圧により供給される給水と、第２循環路Ｃ２を循環する湯水とを熱交換可能に構成されている。換言すると、第１熱交換器ＥＸ１は、第２循環路Ｃ２に接続される熱交換流路部位ＥＸ１ａを備えると共に、一端に給水流路Ｒ１が接続されると共に他端に吐出流路Ｒ２が接続されている熱交換流路部位ＥＸ１ｂを備えて構成されている。
【００４２】
吐出流路Ｒ２は、燃焼装置１２の内部を通流する加熱流路Ｒ４に接続されており、燃焼装置１２による加熱前の湯水の加熱前予熱温度を検出する第２温度センサＴ２が設けられている。また、加熱流路Ｒ４には燃焼装置１２の出口での補助加熱後温度を検出する第４温度センサＴ４（補助加熱後温度検出手段の一例）が設けられている。
吐出流路Ｒ２と加熱流路Ｒ４との接続部位は、加熱後混合流路Ｒ５の上流端が接続されると共に、加熱流路Ｒ４と加熱後混合流路Ｒ５への湯水の流量比を調整可能な第２三方弁Ｓ２が設けられており、加熱後混合流路Ｒ５の下流端は、加熱流路Ｒ４の第４温度センサＴ４の下流側の第２合流部Ｇ２に接続されている。
第２合流部Ｇ２には、給湯利用箇所１（例えば、給湯栓）に接続される給湯流路Ｒ７が設けられており、当該給湯流路Ｒ７の第２合流部Ｇ２への接続部位の近傍には、加熱後混合温度を測定する第３温度センサＴ３が設けられており、給湯流路Ｒ７の給湯利用箇所１の近傍には、給湯流路Ｒ７に湯水が通流しているか否かを検出可能な第２水量センサＦ２（給湯運転検出手段の一例）が設けられている。
給湯流路Ｒ７の第３温度センサＴ３が設けられている箇所の下流側には、浴槽Ｂへ湯水を導く湯張流路Ｒ８が接続されており、当該湯張流路Ｒ８には、湯張流路Ｒ８に湯水が通流しているか否かを検出可能な第１水量センサＦ１（湯張り運転検出手段の一例）が設けられていると共に、湯張流路Ｒ８を開閉する第２開閉弁Ｋ２が設けられている。
【００４３】
貯湯式給湯装置１００の運転を制御するコンピュータを備えた制御装置５０は、運転を指令する人為操作式の貯湯式給湯装置用リモコン（図示省略）との間で各種情報を通信可能に構成されている。当該貯湯式給湯装置用リモコンは、例えば、台所や浴室等に設けられており、給湯目標温度や湯張り目標温度等を設定可能であると共に、各種スイッチのＯＮ操作により各種運転の運転要求を要求可能に構成されている。また、制御装置５０は、浴槽Ｂの湯張り運転等を指令する人為操作式の風呂リモコン（図示省略）との間で各種の情報を通信可能に構成されている。
【００４４】
制御装置５０は、リモコンの運転スイッチがＯＮ操作されると制御可能な状態となり、給湯利用箇所１としての給湯栓が開栓されると、給湯利用箇所１に給湯する給湯運転を実行する。
また、制御装置５０は、例えば、貯湯タンク２の蓄熱量が設定量以下となる、或いは、給湯利用箇所１へ給湯する給湯時間帯になる等の蓄熱条件が満たされると、蓄熱運転の運転要求があったとして、貯湯タンク２へ蓄熱する蓄熱運転を実行する。更に、制御装置５０は、風呂リモコンの湯張りスイッチがＯＮ操作されて湯張り要求されると湯張り運転を実行する。
以下、各運転について説明する。
【００４５】
（蓄熱運転）
当該蓄熱運転では、制御装置５０は、貯湯タンク２の下部の湯水を第１循環路Ｃ１に通流させ、湯水を燃料電池９の排熱により加熱し、加熱された湯水を貯湯タンク２の上部に戻す運転である。当該蓄熱運転では、第１循環ポンプＰ１を所定の回転速度で駆動させる。
【００４６】
制御装置５０は、第１水量センサＦ１及び第２水量センサＦ２の検出結果により、湯張り運転もしくは給湯運転の少なくとも一方を検出した時に、第１温度センサＴ１にて検出される貯湯温度に基づいて、第２温度センサＴ２にて測定される加熱前予熱温度もしくは第３温度センサＴ３にて測定される加熱後混合温度の少なくとも一方が、湯張り運転で設定された湯張り目標温度もしくは給湯運転で設定された給湯目標温度になるように、第２循環ポンプＰ２及び第２三方弁Ｓ２を作動させる。
【００４７】
（給湯運転）
給湯運転は、第２水量センサＦ２により検出可能な運転であり、制御装置５０が、貯湯タンク２に貯留された湯水で加熱された給水を燃焼装置１２にて補助加熱することなく給湯利用箇所１へ供給する加熱停止モード運転と、貯湯タンク２に貯留された湯水で加熱された給水を燃焼装置１２にて補助加熱をして給湯利用箇所１へ供給する加熱作動モード運転とに切り換え自在に構成されている。
制御装置５０は、貯湯タンク２の上部に貯留される湯水の貯湯温度（第１温度センサＴ１で測定される温度）が給湯利用箇所１にて要求されている給湯目標温度より高い時、加熱停止モード運転に切り換え、貯湯タンク２の上部に貯留される湯水の貯湯温度が給湯目標温度以下である時、加熱作動モード運転に切り換える。
【００４８】
加熱停止モード運転に切り換える時には、制御装置５０が、第２循環ポンプＰ２を作動すると共に燃焼装置１２による加熱を停止し、第２三方弁Ｓ２を加熱後混合流路Ｒ５へ湯水を通流させる状態とし、上水の圧力により供給される給水を第１熱交換器ＥＸ１にて加熱した後に、第１熱交換器ＥＸ１から吐出流路Ｒ２へ吐出させた後、加熱後混合流路Ｒ５及び給湯流路Ｒ７を介して給湯利用箇所１から供給する。
ここで、制御装置５０は、第２温度センサＴ２にて測定される加熱前予熱温度が、給湯目標温度よりも高い場合、第２循環ポンプＰ２の回転速度を低い側へ制御し、給湯目標温度未満の場合、第２循環ポンプＰ２の回転速度を高い側へ制御する形態で、加熱前予熱温度が給湯目標温度となるように制御する。
【００４９】
一方、加熱作動モード運転に切り換える時には、制御装置５０が、第２循環ポンプＰ２を作動すると共に、第２三方弁Ｓ２を加熱流路Ｒ４と加熱後混合流路Ｒ５の双方へ湯水を通流させる状態とし、上水の圧力により供給される給水を第１熱交換器ＥＸ１にて加熱した後に、第１熱交換器ＥＸ１から吐出流路Ｒ２へ吐出させた後、当該吐出流路Ｒ２を通流する湯水の一部を加熱流路Ｒ４へ通流させて燃焼装置１２にて加熱すると共に、吐出流路Ｒ２を通流する湯水の残部を加熱後混合流路Ｒ５へ通流させて第２合流部Ｇ２で混合し、給湯流路Ｒ７を介して給湯利用箇所１から供給する。
ここで、制御装置５０は、第２温度センサＴ２にて測定される加熱前予熱温度が、給湯目標温度から燃焼装置１２により最小能力で加熱した時の温度上昇の想定値である最小加熱温度を減算した温度以下になるように、第２循環ポンプＰ２の回転速度を制御し、且つ、第３温度センサＴ３で測定される加熱後混合温度が給湯目標温度になるように、燃焼装置１２の燃焼量及び第２三方弁Ｓ２の開度を制御する。
【００５０】
（湯張り運転）
湯張り運転は、第１水量センサＦ１により検出可能な運転であり、制御装置５０が、貯湯タンク２に貯留された湯水で加熱された給水を燃焼装置１２にて補助加熱することなく浴槽Ｂへ供給する加熱停止モード運転と、貯湯タンク２に貯留された湯水で加熱された給水を燃焼装置１２にて補助加熱をして浴槽Ｂへ供給する加熱作動モード運転とに切り換え自在に構成されている。
【００５１】
さて、当該湯張り運転では、加熱停止モード運転での湯張り運転の直後に、加熱作動モード運転での給湯運転が実行される場合、第２温度センサＴ２にて測定される加熱前予熱温度が、湯張り目標温度の湯水の状態で吐出流路Ｒ２に滞留しており、当該湯張り目標温度の湯水が、燃焼装置１２により最小能力で加熱され、最小能力で加熱された時の温度上昇の想定値である最小加熱温度だけ昇温した温度（湯張り目標温度＋最小加熱温度＞目標給湯温度）となって、給湯利用箇所１から供給される場合がある。
当該第２実施形態に係る貯湯式給湯装置１００の湯張り運転では、特に、その湯張り運転の直後の給湯運転の初期において、給湯利用箇所１から目標給湯温度より高温の湯水が供給されることを防止するべく、以下で説明する加熱作動準備モード運転を含めた運転が実行される。
【００５２】
以下、加熱作動準備モード運転も含めた湯張り運転に関し、図５、図７〜９の制御フローに基づいて、説明を追加する。
風呂リモコンで湯張り運転のスイッチがＯＮ操作されると、制御装置５０は、湯張り運転開始時に、図５において＃５１、５２、５３に示す制御を実行する。
制御装置５０は、湯張り目標温度と貯湯温度との関係が、燃焼装置１２の作動を停止して、湯張り目標温度で湯張りできる補助加熱不要状態の時、換言すれば、貯湯タンク２の上部に貯留される湯水の貯湯温度（第１温度センサＴ１で測定される温度）が浴槽Ｂにて要求されている湯張り目標温度より高いと判定した時（＃５１でＹｅｓ）、加熱停止モード運転（＃５３）に切り換える。
一方、制御装置５０は、湯張り目標温度と貯湯温度との関係が、燃焼装置１２を作動させる必要がある補助加熱必要状態の時、換言すれば、貯湯タンク２の上部に貯留される湯水の貯湯温度が湯張り目標温度以下であると判定した時（＃５１でＮｏ）、加熱作動モード運転（＃５２）に切り換える。
【００５３】
加熱停止モード運転では、図７に示すように、制御装置５０が、第２循環ポンプＰ２を作動すると共に燃焼装置１２による加熱を停止し（＃２１）、第２三方弁Ｓ２を加熱後混合流路Ｒ５へ湯水を通流させる状態とし、上水の圧力により供給される給水を第１熱交換器ＥＸ１にて加熱した後に、第１熱交換器ＥＸ１から吐出流路Ｒ２へ吐出させた後、加熱後混合流路Ｒ５及び湯張流路Ｒ８を介して浴槽Ｂへ供給する。
ここで、制御装置５０は、第２温度センサＴ２にて測定される加熱前予熱温度が、湯張り目標温度よりも高い場合、第２循環ポンプＰ２の回転速度を低い側へ制御し、湯張り目標温度未満の場合、第２循環ポンプＰ２の回転速度を高い側へ制御する形態で、加熱前予熱温度が湯張り目標温度となるように制御する（＃２２）。
【００５４】
一方、加熱作動モード運転では、図８に示すように、制御装置５０が、第２循環ポンプＰ２を作動すると共に、第２三方弁Ｓ２を加熱流路Ｒ４と加熱後混合流路Ｒ５の双方へ湯水を通流させる状態とし、上水の圧力により供給される給水を第１熱交換器ＥＸ１にて加熱した後に、第１熱交換器ＥＸ１から吐出流路Ｒ２へ吐出させた後、当該吐出流路Ｒ２を通流する湯水の一部を加熱流路Ｒ４へ通流させて燃焼装置１２にて加熱すると共に、吐出流路Ｒ２を通流する湯水の残部を加熱後混合流路Ｒ５へ通流させて第２合流部Ｇ２で混合し、湯張流路Ｒ８を介して浴槽Ｂへ供給する。
ここで、制御装置５０は、図８に示すように、第２温度センサＴ２にて測定される加熱前予熱温度が、湯張り目標温度から燃焼装置１２により最小能力で加熱した時の温度上昇の想定値である最小加熱温度を減算した温度以下になるように、第２循環ポンプＰ２の回転速度を制御し（＃３１）、且つ、第３温度センサＴ３で測定される加熱後混合温度が湯張り目標温度になるように、燃焼装置１２の燃焼量及び第２三方弁Ｓ２の開度を制御する（＃３２）。
【００５５】
制御装置５０は、湯張り運転が開始され、＃５１、５２、５３の制御が実行された後、湯張り運転が終了する、又は湯張り強制停止する（＃５７でＹｅｓ）までの間、図５で＃５４、５５、５６で示す制御を、繰り返し実行する。
制御装置５０は、湯張り運転が加熱停止モード運転で実行されており（＃５４でＹｅｓ）、且つ、貯湯タンク２の上部に貯留される湯水の貯湯温度（第１温度センサＴ１で測定される温度）が浴槽Ｂにて要求されている湯張り目標温度より高い時（＃５５でＹｅｓ）、何も変更しない。
制御装置５０は、湯張り運転が加熱停止モード運転で実行されており（＃５４でＹｅｓ）、且つ、貯湯タンク２の上部に貯留される湯水の貯湯温度（第１温度センサＴ１で測定される温度）が浴槽Ｂにて要求されている湯張り目標温度以下の時（＃５５でＮｏ）、加熱作動モード運転へ切り換える（＃５６）。
制御装置５０は、湯張り運転が加熱停止モード運転で実行されていない場合（＃５４でＮｏ）、何も変更しない。
【００５６】
制御装置５０は、湯張り運転が終了する、又は湯張り強制停止する（＃５７でＹｅｓ）場合、以下の＃５８、５９、６０、６１の制御を実行する。
制御装置５０は、湯張り運転が加熱停止モード運転で実行されている場合(＃５８でＹｅｓ)、加熱作動準備モード運転を実行する（＃５９）。当該加熱作動準備モード運転は、図９に示すように、燃焼装置１２での加熱を停止し（＃４１）、第２温度センサＴ２にて測定される加熱前予熱温度が、給湯目標温度から最小加熱温度を減算した温度以下になるように、第２循環ポンプＰ２の回転速度を制御する（＃４２）と共に、第２三方弁Ｓ２を加熱流路Ｒ４と加熱後混合流路Ｒ５の双方へ湯水を通流させる。
【００５７】
制御装置５０は、第４温度センサＴ４にて測定される補助加熱後温度が「給湯目標温度−最小加熱温度」以下となった場合（＃６０でＹｅｓ）に、湯張り停止処理として第２開閉弁Ｋ２の閉弁操作等を実行し（＃６１）、湯張り運転を終了する。尚、当該湯張り運転の終了には、強制停止も含むものとする。
一方、制御装置５０は、補助加熱後温度が「給湯目標温度−最小加熱温度」より高い場合、補助加熱後温度が「給湯目標温度−最小加熱温度」以下となるまで、現状の運転（加熱作動準備モード運転）を維持する。
なお、制御装置５０は、湯張り運転が加熱停止モードで実行されていない場合（＃５８でＮｏ）、加熱作動準備モード運転は行なわずに、湯張り停止処理として第２開閉弁Ｋ２の閉弁操作等を実行し（＃６１）、湯張り運転を終了する。尚、当該湯張り運転の終了には、強制停止も含むものとする。
【００５８】
〔別実施形態〕
（１）上記実施形態において、湯張り運転検出手段及び給湯運転検出手段は、水量センサにて構成する構成例を示した。
これらは、他の構成により実現しても構わない。
例えば、制御装置５０が、リモコン（図示せず）において湯張り運転スイッチ又は給湯運転スイッチのＯＮ／ＯＦＦ操作による湯張り運転又は給湯運転が実行されているか否かの情報を受信可能に構成する場合、制御装置５０が湯張り運転検出手段及び給湯運転検出手段として働くことになる。
【００５９】
（２）上記実施形態において、熱源機として燃料電池９を備える構成例を示したが、その他の構成例として、コ−ジェネレーション装置としてのエンジンの他、ヒートポンプ装置、太陽熱温水装置を好適に採用することができ、それらを一つ以上組み合わせた構成を採用しても構わない。
【００６０】
（３）上記実施形態における湯張り運転の＃５７のステップにおいて、制御装置５０は、湯張り終了時に、＃５８〜＃６１の制御を実行する例を示した。
しかしながら、制御装置５０は、＃５７において、湯張り終了時刻の所定時間だけ手前の時刻となった時に、＃５８〜＃６１の制御を実行する構成を採用しても構わない。
【００６１】
（４）上記実施形態における湯張り運転の＃５８〜＃６１のステップにおいて、制御装置５０は、第４温度センサＴ４にて測定される補助加熱後温度が「給湯目標温度−最小加熱温度」より高い場合、＃６０の制御を繰り返し実行し、補助加熱後温度が「給湯目標温度−最小加熱温度」以下となった場合に、湯張り停止処理として第２開閉弁Ｋ２の閉弁操作等を実行して、湯張り運転を終了する制御を実行する例を示した。
しかしながら、制御装置５０は、第３温度センサＴ３にて測定される加熱後混合温度が「給湯目標温度−最小加熱温度」より高い場合、＃６０の制御を繰り返し実行し、加熱後混合温度が「給湯目標温度−最小加熱温度」以下となった場合に、湯張り停止処理として第２開閉弁Ｋ２の閉弁操作等を実行して、湯張り運転を終了する制御を実行しても構わない。
更に、制御装置５０は、補助加熱後温度と加熱後混合温度との双方が「給湯目標温度−最小加熱温度」より高い場合、＃６０の制御を繰り返し実行し、補助加熱後温度と加熱後混合温度との少なくとも何れか一方が「給湯目標温度−最小加熱温度」以下となった場合に、湯張り停止処理として第２開閉弁Ｋ２の閉弁操作等を実行して、湯張り運転を終了する制御を実行しても構わない。
【００６２】
（５）上記実施形態で説明した湯張り運転の制御については、浴槽Ｂの湯張り状態が目標湯張り状態となるような湯張り運転よりも先行して、浴槽Ｂの湯張り状態が目標湯張り状態に達する前の先行湯張り状態になるような先行湯張り運転においても好適に実行可能である。
当該先行湯張り運転は、予測される入浴時間帯よりも以前の時間帯で且つその後時系列的な電力負荷の増加が予想できる時間帯に、湯張り運転に先行して実行される運転である。
具体的には、制御装置５０は、先行湯張り運転の場合において、先行湯張り終了時もしくは先行湯張り終了時刻の所定時間だけ手前の時刻になった時に、加熱停止モード運転で湯張りしている場合、加熱作動準備モード運転を行なうように構成しても構わない。
【００６３】
（６）上記実施形態の加熱停止モード運転においては、＃２２に示す制御で、制御装置５０は、第２温度センサＴ２にて測定される加熱前混合温度が湯張り目標温度となるように制御する構成例を示した。
しかしながら、当該加熱停止モード運転では、放熱ロスも考慮し、制御装置５０は、第２温度センサＴ２にて測定される加熱前混合温度が湯張り目標温度以上となるように制御する構成を採用しても構わない。
【００６４】
（７）上記実施形態の湯張り運転において、＃５１の判定は、ラジエータＭ１が作動している場合に、＃５３の加熱停止モード運転を実行し、ラジエータＭ１が停止している場合に、＃５２の加熱作動モード運転を実行する制御に変更しても構わない。
更に、＃５１の判定は、貯湯タンク２が満畜状態である場合に、＃５３の加熱停止モード運転を実行し、貯湯タンク２の貯湯量が少ない場合に、＃５２の加熱作動モード運転を実行する制御に変更しても構わない。
【００６５】
（８）上記実施形態の湯張り運転において、＃５５の判定は、「加熱前混合温度≧湯張り目標温度」に置き換えても構わない。
【００６６】
（９）上記第１実施形態においては、給水流路Ｒ１から供給される給水は、貯湯タンク２の内部に直接流入し、貯留される構成例を示した。
別の構成例としては、図１０に示すように、給水流路Ｒ１が、貯湯タンク２の内部に配設されるタンク内コイル熱交換器ＥＸ２の一端に連通接続されると共に、当該タンク内コイル熱交換器ＥＸ２の他端が、吐出流路Ｒ２に連通される構成を採用することもできる。
当該構成にあっては、給水流路Ｒ１から供給される給水は、タンク内コイル熱交換器ＥＸ２にて貯湯タンク２内に貯留される湯水と熱交換した後に、吐出流路Ｒ２へ吐出されることとなる。
【００６７】
尚、上記実施形態（別実施形態を含む、以下同じ）で開示される構成は、矛盾が生じない限り、他の実施形態で開示される構成と組み合わせて適用することが可能であり、また、本明細書において開示された実施形態は例示であって、本発明の実施形態はこれに限定されず、本発明の目的を逸脱しない範囲内で適宜改変することが可能である。
【産業上の利用可能性】
【００６８】
本発明の貯湯式給湯装置は、長い待機時間を設定することなく、特に、給湯の初期において、給湯目標温度よりも高い温度の湯水が供給されることを防止でき、使用者の快適性を損ねることを防止できる貯湯式給湯装置として、有効に利用可能である。
【符号の説明】
【００６９】
２      ：貯湯タンク
１２    ：燃焼装置
５０    ：制御装置
１００  ：貯湯式給湯装置
Ｆ１    ：第１水量センサ
Ｆ２    ：第２水量センサ
Ｈ１    ：比例弁
Ｒ３    ：加熱前混合流路
Ｒ５    ：加熱後混合流路
Ｒ７    ：給湯流路
Ｒ８    ：湯張流路
Ｓ２    ：第２三方弁
ＥＸ１  ：第１熱交換器
Ｔ１    ：第１温度センサ
Ｔ２    ：第２温度センサ    
Ｔ３    ：第３温度センサ
Ｔ４    ：第４温度センサ
【図１】
2019032148.tif 000003
【図２】
2019032148.tif 000004
【図３】
2019032148.tif 000005
【図４】
2019032148.tif 000006
【図５】
2019032148.tif 000007
【図６】
2019032148.tif 000008
【図７】
2019032148.tif 000009
【図８】
2019032148.tif 000010
【図９】
2019032148.tif 000011
【図１０】
2019032148.tif 000012